(57)【要約】【解決手段】容器から内容物を取り出すための機械化された包装作業に適合された改良された持ち上げ装置が開示されている。本発明の持ち上げ装置は、コネクタ（１５０）によって容器（１２０）のトップに結合されて内容物を持ち上げる支持板（１３５）を有している。
2004538214.tif 000002
【特許請求の範囲】
【請求項１】
内面と外面と、底部及びトップと底部の間の全周を形成する少なくとも一つの側壁を有し、前記トップ、底部及び側壁により気密封止を形成するトップと、
容器内に収容された内容物を支持し、持ち上げるとともに、容器内への底部の近傍に配置に適合し、容器内において底部とトップ間の方向に移動可能な支持板と、
前記支持板が底部の近傍に位置している時に前記トップと前記支持板を接続するとともに、第一の端部と、反対側の第二の端部を有し、前記第一の端部が前記トップ及び前記支持板の一方に取り付けられ、前記第二の端部が前記トップ及び前記支持板の他方に取り付けられたコネクタと、及び
前記トップと、前記コネクタ及び前記支持板の少なくとも一部が、前記容器内の内容物を持ち上げる持ち上げ装置を形成し、該持ち上げ装置が少なくとも一つの機械的インターロック接合を有していることを特徴とする容器。
【請求項２】
前記機械的インターロック接合が、トップと支持板が接続される前に内容物の充填を可能とするように構成される請求項１に記載の容器。
【請求項３】
前記容器は、自動化包装工程における使用のために構成される請求項１に記載の容器。
【請求項４】
前記機械的インターロック接合は、前記トップと前記コネクタ間である請求項１に記載の容器。
【請求項５】
前記機械的インターロック接合は、前記コネクタと前記支持板間である請求項１に記載の容器。
【請求項６】
前記コネクタは、前記機械的インターロック接合により連動するように結合される第一の部分と第二の部分を有している請求項１に記載の容器。
【請求項７】
前記コネクタは、第一の部分と第二の部分を有し、前記機械的インターロック接合は前記コネクタの前記第一及び第二の部分の相互接続を含んでいる請求項１に記載の容器。
【請求項８】
前記コネクタは、第一の部分と第二の部分を有し、前記機械的インターロック接合は前記コネクタの前記第一及び第二の部分を伸縮可能な接続を含んでいる請求項１に記載の容器。
【請求項９】
前記機械的インターロック接合は、キーウェイ接続である請求項１に記載の容器。
【請求項１０】
前記機械的インターロック接合は、スナップ接合である請求項１に記載の容器。
【請求項１１】
前記機械的インターロック接合は、回転ロックである請求項１に記載の容器。
【請求項１２】
前記機械的インターロック接合は、ねじ結合である請求項１に記載の容器。
【請求項１３】
前記機械的インターロック接合は、相補形状のインターロック面である請求項１に記載の容器。
【請求項１４】
前記機械的インターロック接合は、前記コネクタと前記トップの内側面に連関された雌型及び雄型連動結合部である請求項１に記載の容器。
【請求項１５】
前記コネクタは、少なくとも一部が可撓性部材である請求項１に記載のコネクタ。
【請求項１６】
前記コネクタはロッドである請求項１に記載の容器。
【請求項１７】
前記コネクタは、容器の内容物を通り前記支持板の下側に連通する空気通路を有している請求項１に記載の容器。
【請求項１８】
前記容器が開放された後に、少なくともトップの一部に置き換えられる代換カバを有し、該代換カバは、前記容器内の内容物を操作するための前記コネクタの接合される構成を有する底面を有している請求項１に記載の容器。
【請求項１９】
代換カバは、容器に係合して、再シールする円周フランジを含んでいる請求項１８に記載の容器。
【請求項２０】
前記トップ、容器内の内容物を持ち上げる前に、前記コネクタ及び前記支持板は協働して容器から取り出し可能な部分の分離を可能とするのに十分な前記トップの取り出し可能な部分の角度形成を可能とする請求項１に記載の容器。
【請求項２１】
前記角度形成は、少なくともその一部が機械的インターロック接合によって提供される請求項１に記載の容器。
【請求項２２】
前記角度形成が、少なくともその一部が前記コネクタにより提供される請求項１に記載の容器。
【請求項２３】
前記機械的インターロック接合は、さらに前記トップの前記内側面と前記コネクタ間の弛緩部分で構成され、前記弛緩部分は、前記トップの前記取り出し可能な部分が前記コンテナから分離される時に、前記弛緩部分がトップ及び前記コネクタから離脱することなく弛緩可能である請求項２０に記載の容器。
【請求項２４】
前記機械的インターロック接合は、協働可能に係合する雄型部と雌型部を有し、前記トップの取り出し可能な部分は前記容器から分離されるときに、前記トップと前記コネクタを分離することなくそれぞれが相対的に移動可能である請求項１に記載の容器。
【請求項２５】
前記雌型部は狭められた入口を持つソケットであり、前記雄型部は前記ソケット内に前記狭められた入口と協働して相通可能に構成され、前記容器の内容物を持ち上げるためにソケット内に保持される請求項２４に記載の容器。
【請求項２６】
前記雌型部は、前記雌型部内において前記雄型部を移動可能とするために雄型部の長さよりも大きな内部深さを有する寸法とする請求項２４に記載の容器。
【請求項２７】
前記トップ、前記コネクタ及び前記支持板は協働して、前記容器内の内容物の持ち上げの前に、前記トップの取り出し可能部分の分離を許容するのに十分に前記トップの取り出し可能な部分の変位を許容する請求項１に記載の容器。
【請求項２８】
前記移動は、少なくとも部分的に機械的インターロック接合により与えられる請求項２７に記載の容器。
【請求項２９】
前記機械的インターロック接合は、さらに前記コネクタと前記トップの内面間の弛緩部分で構成され、前記弛緩部分は、前記トップの前記取り出し可能な部分が前記コンテナから分離される時に、前記弛緩部分がトップ及び前記コネクタから離脱することなく弛緩可能である請求項１に記載のコネクタ。
【請求項３０】
前記機械的インターロック接合は、協働可能に係合する雄型部と雌型部を有し、前記トップの取り出し可能な部分は前記容器から分離されるときに、前記トップと前記コネクタを分離することなくそれぞれが相対的に移動可能である請求項２０に記載の容器。
【請求項３１】
前記支持板は、前記支持板に対する選択された位置に容器の内容物を保持する隔壁を有している請求項１に記載の容器。
【請求項３２】
前記容器はカンである請求項１に記載の容器。
【請求項３３】
前記容器がビンである請求項１に記載の容器。
【請求項３４】
前記容器はプラスチック容器である請求項１に記載の容器。
【請求項３５】
前記支持板は、持ち上げられたときに流体の排出を可能とする構成である請求項１に記載の容器。
【請求項３６】
支持板は、側壁の内側面包囲する寸法である請求項１に記載の容器。
【請求項３７】
前記支持板は、コネクタの空気通路に連続して空気を流通させる空気通路を有している請求項１に記載の容器。
【請求項３８】
前記トップは、前記容器にねじ係合により取り付けられる請求項１に記載の容器。
【請求項３９】
前記トップは、少なくとも一部が金属で形成される請求項１に記載の容器。
【請求項４０】
前記トップは、前記容器が気密封止を形成するためにシールされた後に、前記容器の内部にアクセスを提供するために、前記トップの保持部から分離可能な蓋部を含んでいる請求項１に記載の容器。
【請求項４１】
前記トップの少なくとも蓋部が、前記持ち上げ装置が前記容器内の内容物を持ち上げる以前に、トップの保持部から分離出来る請求項１に記載の容器。
【請求項４２】
前記側壁は、前記支持板に係合するための内ねじを含んでおり、前記支持板は、前記内ねじとねじ係合し、容器内において回転可能である請求項１に記載の容器。
【請求項４３】
前記機械的インター特区接合は、接合、接合解除される構成である請求項１に
記載の容器。
【請求項４４】
前記機械的インターロック接合は、接合解除後に再接合するように構成した請求項１に記載の容器。
【請求項４５】
トップと底部と、底部及びトップと底部の間の全周を形成する少なくとも一つの側壁を有し、前記トップ、底部及び側壁により気密封止を形成し、
容器内に収容された内容物を支持し、持ち上げるとともに、容器内において底部とトップ間の方向に移動可能な支持板と、
前記支持板が底部の近傍に位置している時に前記支持板を前記トップと接続するとともに、第一の端部と、反対側の第二の端部を有し、前記第一の端部が前記トップ及び前記支持板の一方に取り付けられ、前記第二の端部が前記トップ及び前記支持板の他方に取り付けられたコネクタと、及び
前記トップと、前記コネクタ及び前記支持板が前記容器内から内容物を持ち上げる持ち上げ装置を形成するために配置され、該持ち上げ装置が前記トップ、前記コネクタ及び前記支持板に接続するための少なくとも一つの接着剤接着を含むことを特徴とする容器。
【請求項４６】
前記接着剤接着は前記トップと前記コネクタ間である請求項４５に記載の容器。
【請求項４７】
前記接着剤接着は前記コネクタと前記支持板間である請求項４５に記載の容器。
【請求項４８】
前記容器は、自動化包装処理に用いるように構成される請求項４５に記載の容器。
【請求項４９】
前記容器がカンである請求項４５に記載の容器。
【請求項５０】
前記容器がビンである請求項４５に記載の容器。
【請求項５１】
前記容器はプラスチック桶である請求項４５に記載の容器。
【請求項５２】
前記トップは、少なくとも一部が金属である請求項４５に記載の容器。
【請求項５３】
前記接着剤接着は熱圧着である請求項４５に記載の容器。
【請求項５４】
前記コネクタは、少なくとも一部が可撓性部材である請求項４５に記載の容器。
【請求項５５】
前記可撓性部材は、中空チューブ、ひも、革ひも、ケーブル、ワイヤ、糸、ライン及びリボンで構成される群より選択させる請求項５４に記載の容器。
【請求項５６】
前記コネクタは、ロッドを含む請求項４５に記載の容器。
【請求項５７】
前記ロッドは、二つの接合部を有している請求項５６に記載の容器。
【請求項５８】
前記コネクタは、容器の内容物を通り支持板の前記支持板の下側に連通する空気通路を含む請求項４５に記載の容器。
【請求項５９】
前記コネクタは、前記容器の内容物を通る空気通路を形成するために、前記トップの少なくとも取り出し可能部分によって前記容器の内容物を通って移動可能とする請求項４５に記載の容器。
【請求項６０】
前記トップの部分は、取り外し可能であり、容器のトップに近接した前記側壁の外面に係合する周囲フランジを有する代換カバにより置き換え可能である請求項４５に記載の容器。
【請求項６１】
さらに前記トップの前記内側面と前記コネクタ間の弛緩部分を有し、前記弛緩部分は、前記トップの前記取り出し可能な部分が前記コンテナから分離される時に、前記弛緩部分がトップ及び前記コネクタから離脱することなく弛緩可能である請求項４５に記載の容器。
【請求項６２】
前記トップは、前記容器にねじ係合により取り付け可能である請求項４５に記載の容器。
【請求項６３】
前記トップの少なくとも一部が容器から分離可能であり、容器が気密封止を形成するにシールされた後、前記容器の内側にアクセスを可能とする請求項４５に記載の容器。
【請求項６４】
前記トップの少なくとも一部は、前記持ち上げ装置が前記容器内の内容物を持ち上げる前に、前記容器から分離可能である請求項４５に記載の容器。
【請求項６５】
前記側壁は、前記支持板に係合するための内ねじを含んでおり、前記支持板は、前記内ねじとねじ係合し、容器内において回転可能である請求項４５に記載の容器。
【請求項６６】
全周を形成する少なくとも一つの側壁及び底部で構成される容器を設けて部分的に風刺された空間を形成し、
前記底部に近接して、容器内に支持板を挿入し、
前記容器内に内容物材料を導入し、
トップを設けて前記容器を閉塞し、及び
前記トップによる前記容器の閉塞、前記トップを前記容器と同軸に整列することにより及び前記トップを前記側壁に衝合させるによってコネクタにより前記支持板を前記トップに接続する工程により構成される容器の処理方法。
【請求項６７】
前記閉塞工程が前記トップを前記側壁に封止する工程を含む請求項６６に記載の方法。
【請求項６８】
前記閉塞工程の後に、前記容器を加熱する工程を含む請求項６６に記載の方法。
【請求項６９】
前記加熱工程は、容器内の内容物を少なくとも１７０°Ｆで加熱することを含む請求項６８に記載の方法。
【請求項７０】
前記加熱工程は、前記容器内の内容物材料の殺菌を含む請求項６８に記載の方法。
【請求項７１】
前記接続工程は、前記トップを前記コネクタに機械的にインターロックする工程を有している請求項６６に記載の方法。
【請求項７２】
前記接続工程は。前記容器内に内容物材料を導入する工程後に行われる請求項７１に記載の方法。
【請求項７３】
前記接続工程は、容器が実質的に完全に充填された後に行われる請求項７２に記載の方法。
【請求項７４】
前記接続工程は、前記コネクタを前記支持板に機械的インターロック接合する工程を含む請求項６８に記載の方法。
【請求項７５】
前記接続工程は。前記容器内に内容物材料を導入する工程後に行われる請求項６８に記載の方法。
【請求項７６】
前記接続工程は、前記コネクタと前記トップを接着剤接着する請求項６８に記載の方法。
【請求項７７】
前記接続工程は。前記容器内に内容物材料を導入する工程後に行われる請求項７６に記載の方法。
【請求項７８】
前記接着剤接着を行う工程は、熱圧着を含む請求項７６に記載の方法。
【請求項７９】
前記接着剤接着を行う工程は、前記容器の加熱を含む請求項７６に記載の方法。
【請求項８０】
前記加熱工程は、容器内の内容物を少なくとも１７０°Ｆで加熱することを含む請求項７９に記載の方法。
【請求項８１】
前記加熱工程は、前記容器内の内容物材料の殺菌を含む請求項７９に記載の方法。
【請求項８２】
前記容器はカンであり、前記方法はさらに。カンに内容物材料を充填する工程と、自動化組立ラインの缶詰工程において前記カンをシールする工程を有し、前記トップ及び前記支持板をコネクタを介して接続以前に、前記カンに内容物材料が充填される請求項６６に記載の方法。
【請求項８３】
前記容器を設ける工程はカン、ビン及び少なくとも一部のプラスチック容器の一つを供給することを含む請求項６６に記載の方法。
【請求項８４】
トップを設ける工程は、前記容器にねじ係合により取り付け可能なトップを供給することを含む請求項６６に記載の方法。
【請求項８５】
トップと底部と、底部及びトップと底部の間の全周を形成する少なくとも一つの側壁を有し、前記トップ、底部及び側壁により気密封止を形成し、及び
前記底部に近接した配置に適合し、前記容器内の内容物を持ち上げる支持板にコネクタに接続された前記トップの少なくとも蓋部を有する持ち上げ装置を含み、該持ち上げ装置が少なくとも一つの機械的インターロック接合を含んでいる容器を供給し、
前記トップの少なくとも蓋部を容器から分離し、及び
前記容器から前記蓋部を離間させることによって前記持ち上げ装置により容器内の内容物材料を取り出すことを特徴とする容器から内容物材料を取り出す方法。
【請求項８６】
前記の分離工程は、前記容器内の内容物材料を持ち上げる前に、前記容器から蓋部を分離する工程を含んでいる請求項８５に記載の方法。
【請求項８７】
取り出し工程は、前記トップを回転して前記容器内の前記持ち上げ装置を操作し
前記容器内の内容物材料の部分を持ち上げることを請求項８５に記載の方法。
【請求項８８】
前記分離工程は、前記コネクタから前記トップの少なくとも一部を分離し、再シール可能なカバにより前記容器を再封止する請求項８５に記載の方法。
【請求項８９】
前記再封止工程は、前記持ち上げ装置に前記再シール可能なカバを結合する工程を含む請求項８８に記載の方法。
【請求項９０】
前記再封止工程は、前記側壁に前記再シール可能なカバを結合する工程を含む請求項８８に記載の方法。
【請求項９１】
前記再シール可能なカバとともに前記持ち上げ装置を持ち上げる工程を含む請求項８９に記載の方法。
【請求項９２】
前記分離工程は、前記コネクタ、前記トップ及び前記支持板の機械的インターロック接合のユーザによる接合解除によって前記コネクタから前記トップの少なくとも一部を分離して、内容物の前記容器から少なくとも一部を持ち上げた後に。前記容器の内容物の取り出しを容易とする工程を含む請求項８５に記載の方法。
【請求項９３】
接合を解除された機械的インターロック接合を代換トップに対して際せ都合して、前記代換トップを介した前記容器から内容物を持ち上げることを可能とするために再接合する請求項８５に記載の方法。
【請求項９４】
前記容器内の内容物を通って前記コネクタを移動させることによって前記容器内の内容物を通る空気通路を形成する請求項８５に記載の方法。
【請求項９５】
前記機械的インターロックする工程は、前記トップと前記コネクタの相補形状のインターロック面を加圧接合する請求項７１に記載の方法。
【請求項９６】
前記トップと前記支持板間に伸縮部材を設ける請求項１に記載の容器。
【請求項９７】
前記トップは、該トップの少なくとも一部を前記容器から分離するためのポップリングを含む請求項１に記載の容器。
【請求項９８】
前記トップと前記支持板間に伸縮部材を設ける請求項４５に記載の容器。
【請求項９９】
前記トップは、該トップの少なくとも一部を前記容器から分離するためのポップリングを含む請求項４５に記載の容器。
【請求項１００】
トップと底部と、底部及びトップと底部の間の全周を形成する少なくとも一つの側壁を有し、前記トップ、底部及び側壁により気密封止を形成し、及び
前記底部に近接した配置に適合し、前記容器内の内容物を持ち上げる支持板にコネクタに接続された前記トップの少なくとも蓋部を有する持ち上げ装置を含み、前記コネクタが前記トップに接着剤接着され、
前記トップの少なくとも蓋部を容器から分離し、及び
前記容器から前記蓋部を離間させることによって前記持ち上げ装置により容器内の内容物材料を取り出すことを特徴とする容器から内容物材料を取り出す方法。
【請求項１０１】
前記の分離工程は、前記容器内の内容物材料を持ち上げる前に、前記容器から蓋部を分離する工程を含んでいる請求項１００に記載の方法。
【請求項１０２】
取り出し工程は、前記トップを回転して前記容器内の前記持ち上げ装置を操作し
前記容器内の内容物材料の部分を持ち上げることを請求項１００に記載の方法。
【請求項１０３】
前記分離工程は、前記コネクタから前記トップの少なくとも一部を分離し、再シール可能なカバにより前記容器を再封止する請求項１００に記載の方法。
【請求項１０４】
前記再封止工程は、前記側壁に前記再シール可能なカバを結合する工程を含む請求項１０４に記載の方法。
【請求項１０５】
前記分離工程は、前記コネクタ、前記トップ及び前記支持板の接着剤接着のユーザによる解離によって前記コネクタから前記トップの少なくとも一部を分離して、内容物の前記容器から少なくとも一部を持ち上げた後に。前記容器の内容物の取り出しを容易とする工程を含む請求項８５に記載の方法。
【請求項１０６】
前記容器内の内容物を通って前記コネクタを移動させることによって前記容器内の内容物を通る空気通路を形成する請求項１００に記載の方法。
【請求項１０７】
底部と底部を包囲する全周を形成する側壁と、コネクタと支持板を含む持ち上げ装置を有するカンのための代換トップであって、
周縁より垂下するフランジを有し、前記フランジがカンの開放端に近接したカンの側壁の上側面に係合するように構成されており、前記カンに衝合する外面と内面を有する円形部材と、及び
前記持ち上げ装置の前記コネクタの前記支持板とは反対側に機械的に接合する手段とを有することを特徴とする代換トップ。
【請求項１０８】
前記円形部材は、プラスチック材料を含む請求項１０８に記載の代換トップ。
【請求項１０９】
前記円形部材は、広告を表示する面を含んでいる請求項１０８に記載の代換トップ。
【請求項１１０】
前記円形部材は透明である請求項１０８に記載の代換トップ。
【請求項１１１】
前記代換トップは、前記カンとともに気密シールを形成する請求項１０８に記載の代換トップ。
【請求項１１２】
前記代換トップは、再使用可能である請求項１０８に記載の代換トップ。
【請求項１１３】
前記代換トップは透明である請求項１０８に記載の代換トップ。
【請求項１１４】
前記円形部材は、フライイングディスクである請求項１０８に記載の代換トップ。
【発明の詳細な説明】
【０００１】
【産業上の利用分野】
この発明は、容器装置に関するもので、特に容器内容物を容易に取り出す手段を有する改良された容器装置に関するもので、さらに食料品等の従来の高速の機械化された商業的梱包に対応した改良された容器装置に関するものである。
【０００２】
【従来の技術】
ドックフードやキャットフード等の缶詰の肉、トマトペースト、リフライド（ｒｅｆｒｉｅｄ）豆及びグリース、スパックルペースト（ｓｐａｃｋｌｉｎｇ  ｐａｓｔｅ）、パテ等の高濃度の他の製品が、カン、ビン又はプラスチックチューブから取り出し難いという問題は古くから認識されている問題である。
【０００３】
例えば、オリーブやピクルス等の他の物品は、液状媒体に浸漬されている場合には、取り出し難く、まず液体を排出するかまたは、各個の物品を引き上げてこれをアクセスしなければならない。従って、容器が開けられると、スプーンや他の器具を用いて容器から掬い出す必要がある。または、ナイフを用いて製品の側部を切断してシールを壊すか、若しくは製品と容器側部との密着を壊すかするが、これによっては、内容物が底部に張り付く問題や、内容物を持ち上げる時に生じる負圧の問題が解消されるわけではない。
【０００４】
一回に容器内の内容物の一部のみを使用することが望ましい場合があり、内容器の一部を取り出す過程において、容器内の内容物を押し出すために容器の両端を開放する等の容器を破壊するのは望ましいことではない。
【０００５】
さらに、カン切り等の容器を開放するための適切な道具又は器具を常に可能にしておくことは不可能である。カン切りが使用可能な場合、使用時に容器内の内容物によってカン切りが汚染されるような場合には、この不便さはより大きな問題となる。従って、道具や器具を使用することなく容器を開放出来るようにすることが望ましい。同様に、内容物に接触することなく容器を開放できるようにすることが望ましい。さらに、器具を用いることなく内容物を取り出すことが出来るようにすることが望ましい。
【０００６】
最後に、内容物の未使用の部分を保護するために容器を解放後に、気密シールを復元できるようにすることが望ましい。
【０００７】
しかしながら、改良された方法を実施するための追加費用をゼロ又は最小とするために、全ての容器技術における改良既存の缶詰め作業、機械及び組立ラインに適合し、それらの変化が高速の機械化されたコンテナ化作業を大幅に減速させる。
【０００８】
【発明が解決しようとする課題】
本発明の目的は、使用が簡単な改良された容器構造を提供することにある。
本発明のもう一つの目的は、組立が容易な内容物取り出し装置を備えた改良された容器構造を提供することにある。
本発明のもう一つの目的は、内容物取り出し装置を備えた改良された容器構造であって、組立要領が既存の食品の梱包装置及び作業に対応するようにした容器構造を提供することにある。
本発明のもう一つの目的は、信頼性の高い、内容物取り出し装置を備えた改良された容器構造を提供することにある。
本発明のもう一つの目的は、容器を完全に空にすることが出来る、内容物取り出し装置を備えた改良された容器構造を提供することにある。
本発明のもう一つの目的は、外部の道具や器具を使用することなく開放できる容器を提供することができる。
本発明のもう一つの目的は、道具や器具を用いることなく完全に空にすることが出来る容器を提供することにある。
本発明のさらにもう一つの目的は、ユーザの手または他の体の部位と容器内の内容物間の接触を防止する容器を提供することにある。
本発明のさらにもう一つの目的は、内容物の未使用の部分を短期間格納するために再シール可能な容器を提供することにある。
本発明のもう一つの目的は、リサイクル可能な容器を提供することにある。
【０００９】
【課題を解決する手段】
本発明は、容器内の内容物を持ち上げる持ち上げ装置を備えた容器構造に関するものである。持ち上げ装置は、一端に、容器の底部に待ちされた支持板の一端に取り付けられ、容器のほぼ上端まで延びるコネクタ有している。容器の内容物は、ドック又はキャットフードや同様の濃度を持つ他の物質であり、コネクタを包囲して、支持板を覆っている。コネクタの他端は、容器のトップの下側に取り付けられる。容器は公知の要領でシールされる。
【００１０】
容器を開放しようとする場合、トップの少なくとも一部は容器より取り除かれる。トップが取り除かれるときに、トップの下側に取り付けられたコネクタが持ち上げられ、これによって下側の支持板と下側の支持板の上に置かれた容器の内容物が持ち上げられる。所望の量の容器内の内容物が取り出すことが出来る。いくつかの実施例において、トップの蓋又は分離部分は内容物を押しだし又は切断する道具として使用可能である。
【００１１】
好適実施例においては、容器のトップにはリング状のプルタブが設けられ、これが上向きに折り返されてトップの刻み目に沿ってシールを破壊し、次いで引き戻してトップの少なくとも一部を。付加的な道具や器具無しで容器から取り除くことが出来る。
【００１２】
コネクタは、可撓性、非可撓性であり、糸、ワイヤを含むが、コネクタはまた下側支持板にリンクされたロッドや中空チューブとすることも出来る。代換カバは、容器を再シールするために提供され、コネクタに係合する手段を有し、後に容器の追加量の内容物を取り出したい場合、代換カバをつかんで引き上げて、コネクタを持ち上げ、容器内の残存する内容物を持ち上げる。
【００１３】
本発明は、内容物を取り出すために簡単に使用でき、実際的な改良された手段を提供し、この手段は今日の商業的高速包装装置及び手順に容易に適合できる。支持板及びコネクタを容器に挿入後に、内容物が挿入される。内容物を封止するためにトップカバが装着されると、コネクタが自動的に係合して内容物の持ち上げ装置を完成して、引き続く容器の解放時に使用可能な状態となる。
【００１４】
【発明の実施の態様】
添付図面を参照した以下の詳細な説明を参照することにより、本発明のより完全な理解を得ることが出来る。
【００１５】
本発明は、本発明の好適実施例を示す添付図面を参照して以下のより十分に説明する。しかしながら、本発明は多数の異なる態様で実施可能であり、このに説明する実施例に限定されて構成されるものではなく、それらの実施例は、この開示が十分で完全であり、当業者に対して発明の範囲を十分に理解可能とするものである。
【００１６】
さらに、本発明の容器装置のいくつかの別の形状又は実施例が可能であり、特定の実施例にカンして説明された種々の要件は当該実施例に限定されるものではなく、同様の結果を達成する他の手段は以下に説明する図面に示された本発明の一部として予測または請求項に記載される。
【００１７】
図１に関して説明すれば、本発明の第一実施例による容器の上側から見た側部の斜視図である。第一実施例による容器は、全体を参照符号１００で示され、円筒状の側壁１１０を有し、トップ１２０によって側壁１１０に巻き込まれた縁部１１５によって接合されている。トップ１２０は、必須ではないが、プルリング１２４への手指によるアクセスを容易とする凹部１２２を有しているが、本発明のおいて必須ではないが、好ましくはリング取り付け装置１２６を介してトップ１２０に取り付けられている。リング取り付け装置１２６は、トップ１２０から突出し、リング１２４の基部に挿通する軸と、トップ又はカバ１２０にリング１２４の基部を保持するためのヘッド部を有している。トップ１２０は、また、切れ目を入れた周縁の要素分離線１２８を有している。プルリング１２４が上方に持ち上げられると、リング取り付け点１２６に対しててこ作用してプルリング１２４の基部端縁をその部分または隣接する分離線１２８に対して下向き押圧して、トップのこの部分を巻き込まれた縁部１１５より離間するように力を作用させて、分離させる。リング１２４をさらに持ち上げ、後方に引っ張ると、分離線１２８によって包囲されたトップの部分は、残りの巻き込まれた縁部１１５より分離されて、蓋又はトップの部分が容器１００の残りの部分より分離される。
【００１８】
図１Ａは、容器１００内の内容物持ち上げ機構の部分が見えるように容器１００の円筒状側壁１１０の輪郭のみが示されている。支持板１３５は、容器１００の底部１３０のほぼ全体に近接して配置され、これをカバーしている。図示のように、支持板１３５から容器１００の中央を通って上方にコネクタが延びており、これは全体を参照符号１３２で示されており、トップと支持板間に機械的なインターロック接合を有しており、このインターロック接合は支持板１３５をトップ１２０の下側又は内面に接合する。
【００１９】
なお、「機械的なインターロック接合」は、この出願及び特許請求の範囲を通して、限定的ではないが、図面に示されたような、精密公差またはインターロックにより協働手金異係合する要素の機械的接合を規定しており、限定的ではないが、ボール及びソケットのスナップ接合や、ポップ−スルー（ｐｏｐ−ｔｈｒｏｕｇｈ）接合、例えば、大きな部材がフランジ又はウエストを有する小さな開口を通過するときに、」大きな部材（雄）が圧縮可能であるか、小さな部材（雌）が拡開可能であるか若しくは、大きな部材が切り欠きまたはキー溝を通って延び、次いで、キー溝に整列ように回転され保持される。「機械的なインターロック接合」は、単一のフック及び単一のループによる接合や接着専用の接着剤による接合を含まない。
【００２０】
図１Ｂは、図１Ａの機構を断面にして示す側面図であり、トップ１２０に固定され、下向きに突出する接合用アンカ部材１３８を示している。接合用アンカ部材１３８は、雌型ソケット１４０を有しており、この雌型ソケットは、コネクタロッド１５０の球状端部１４５にスナップ係合によって機械的にインターロック接合する。コネクタロッド１５０は、好ましくはトップ開口１５２及び底部開口１５４を有する中空であり、開放するときに容器（図示せず）の内容物の上側から下側への空気の流通を許容するエアチャンネル１５０を形成する。コネクタロッド１５０は、下側コネクタ片１６０との機械的インターロック接合を有するとともに、下側コネクタ片に部分的に含まれる。コネクタロッド１５０は、脚部１７０に終端する。コネクタロッド１５０の一部は、従って、下側コネクタ片１６０内で自由に上下動し、上方の移動は、下側コネクタ片１６０の上端の保持フランジ１７５に脚部１７０を衝合させることによって規制される。脚部１７０の底面の平坦な形状となっているので、それが下側コネクタ片内に嵌合する。コネクタロッド１５０は、ほぼ直立し、容器１００内の略中心に位置する。上述の通り、下側コネクタ片１６０のフランジと協働して脚部１７０は、コネクタロッド１５０が下側コネクタ片１６０の上端より抜け出すことを規制する。
【００２１】
組立のために、コネクタロッド１５０は、好ましくは下側コネクタ片１６０の下側を通って挿入され、次いで、内容物持ち上げ機構を形成するこれら二つの部材は充填されるべき容器１００内に配置される。ついで、内容物が容器１００内に配置され、トップ１２０は次いで所定位置に配置され、容器壁１１０の上側面の周囲にトップ１２０の端縁１１５を巻き込むのに先立って、ソケット１４０をコネクタロッド１５０の球状端部１４５によって機械的なインターロック接合を形成する。コネクタロッド１５０を通るエアチャンネル１５６が容器１００内に収容される材料に埋没しないように、容器が充填されている間、組立体１５０及び１６０に亘って排気ホースを配置することが出来る。
【００２２】
図１Ｃは、図１Ｂの機構の他の実施例を示しており、トップ１２０の材用自体の型押しにより形成された雌型ソケット１４２と機械的にインターロック接合するコネクタロッド１５０の球状端部１４５により異なる。
【００２３】
図１Ｄは、図１Ｂのコネクタがどのように雄／雌のスナップ係合するのかを示し、、容器１００に対してトップ１２０の傾斜を可能とする。これは、適当な技術を用いてトップを容器から分離するために必要である。トップ１２０の下側に取り付けられた接合用アンカ部材１３８の雌型ソケット１４０は。参照符号Ａで示すコネクタロッド１４０の球状端部１４５上において自由に回転する。雌側ソケット１４０の下向きに変位した部分は、球状端部１４５とコネクタロッド１５０の残りの部分の接合点Ｂに対しててこ運動して、必要に応じてトップ１２０をコネクタロッド１５０より分離する。
【００２４】
図１Ｅは、成型された代換カバの断面にした側面図であり、全体を参照符号１８０により示され、容器１００に装着するために、すでに説明した機構によりコネクタロッド１５０の球状端部１４５に機械的にインターロック接合される。図１Ｆは図１Ｅの代換カバ１８０の上側斜視図である。内容物の一部のみを使用する場合、ボールをプラスチックラップによってカバーするか周囲の空気に曝露しないように内容物をシールするようにして、残りの内容物を保存する場合に有用である。図１−１Ｄに示す実施例において。トップ１２０は、上述のように、コネクタロッド１５０から取り外すことが出来る。次いで、容器に図１Ｅ、１Ｆの代換カバ１８０直接装着することが出来、雌側ソケット１８２をコネクタロッド１５０の球状端部１４５にスナップ契合して機械的なインターロック接合を可能とする。周縁フランジ１８４は、周囲の側壁１１０の上側部分に沿って容器の端縁１１５の周囲をシールする。ノブ１８６は、容器１００から代換カバ１８０の取り外しを容易とする。代換カバ１８０を取り外されると、持ち上げ装置がソケットとの接続を介して作動され、内容物が再び上昇される。
【００２５】
代換カバは、広告を表示する面を含むことができ、少なくとも部分的に透明とすることもでき、容器と気密シールを形成することができ、再使用可能である。付加的に、代換カバは、レクリエーション用のフライイングディスクとして使用される。
図１Ｇは、コネクタロッド１５０の脚部１７０及び下側コネクタ片１６０内の機械的インターロック接合の変形例を示している。図１Ｈと比較すると、図１Ｇに示す脚部１７０は背が高く、より円筒形であり、図１Ｈに示す脚部に比べて下側コネクタ片１６０に対する公差が小さくなっている。従って、図１Ｇに示す変形例は、容器１００内のコネクタロッド１５０により大きな安定性及びより確実な直立センタリングを与える。図１Ｈに示す機構は、平坦面１７２により安定性を与えるが、コネクタロッド１５０の小刻みな揺動を可能として、支持板１３５を実際に上昇させるのに先だって、所定の角度でトップ１２０の容器１００からの引き抜きを助ける。
【００２６】
図１Ｇを参照すれば、図１Ｂに示す支持板１３５の変形例を示しており、意図する目的のために有用ないかなる形状とすることが出来る。さらに、支持板１３５は、中実又は穴あき形状であり、意図する目的のための作用を得るのに十分な容器１００に関連した径を有している。本発明の内容物持ち上げ機構を形成する他の部分と同様に、支持板１３５は、意図する目的のために適当である限り、種々の材料で形成することが出来る。これらの材料は、限定的ではないが、製缶工業において使用するのに適当な金属や目的のために適当な種々のプラスチックを含んでいる。
【００２７】
図２及び２Ａは図１Ｂに示す機構の変形例を示しており、コネクタロッド１５０を、図２Ａにより詳細に示すように、コネクタロッド１５０のダーツ部１６４を受容するように設計された可撓性開口１６２を介して下側コネクタ片１６０に挿入可能である点において図１Ｂに示す機構と最も大きく相違している。
【００２８】
図３について説明すれば、本発明の第二実施例が示されている。他例によるトップ１９０は、延長され、下向きに突出する雌型ソケット部材１９２を有している。本発明のこの他の実施例において、コネクタロッド１５０は、支持板１３５から容器１００の長さ又は高さで延びており、トップ１９０に取り付けた雌型受容ソケット部材１９２内にスナップ契合して機械的なインターロック接合可能なダーツ部１９６に終端している。雌型ソケット部材１９２内の空隙又はキャビティ、即ち受容ソケット、は、上下動を可能とするとともに、コネクタロッド１５０によりトップに接続された支持板１３５による内容物の持ち上げに先立って、容器１００からトップ１９０を分離可能とするために必要な角度変位を可能とする。先の実施例と同様に、エアチャンネル１５６は必須ではないが、これによって、室内に良好に接合されたピストンのように容器から内容物を取り出そうとする場合に増加する容器１００の底部１３０と内容物の間の負圧を解消する利点がある。詳細な構成は逆転させてソケットをコネクタから延長し、ダーツ部をトップの一部とすることが出来る。
【００２９】
図３Ａは、容器１００から分離されたトップ１９０を示しており、ゆっくりと折り返され上述のトップ１９０の雌型ソケット部材１９２をコネクタロッド１５０のダーツ部１９６から取り外す。図３Ｂ及び３Ｃは、変形例による雌型ソケット部材１９２，１９４を示しており、図３の機構において使用可能であるとともに他の実施例においても使用可能である。図３Ｂ及び３Ｃに示すソケット部材１９２，１９４はコネクタロッド１５０のダーツ部１９６からをトップ１９０の分離を容易にかつ選択的にする。図３Ｂにおいて、ソケット部材１９２の保持装置は、好ましくは、ほぼ円周状の可撓性フラップ１９３で形成される。図３Ｃに関して説明すれば、他の例によるソケット部材１９４を示しており、分割されていないがダーツ部１９６の取り外しを可能とする開口又は空隙１９５Ａを有している可撓性フランジ１９５が設けられている点で、図３Ｂに示すソケット部材１９２と相違する。フランジの厚さ及び幅及びその形状は、トップをコネクタロッドから分離するために必要となる作業量を調整するために全て選択することが出来る。
【００３０】
図３Ｄ、３Ｅ及び３Ｆは、図３による第二実施例による構成部材は、ダーツ部材１９６が雌型ソケット部材１９２内に捕捉され、このときまでダーツ部材１９６が回転されて雌型ソケット部材１９２内のスロット１９８を整列され、ダーツ部材１９６がスロット１９８を自由に通過でき雌型ソケット部材１９２から抜き出せるので、トップ１２０が容易にコネクタロッド１５０から分離できる。勿論、本実施例のダーツ部材１９６は一方向に平坦化され、スロット１９８よりも大きくない厚さを有し、スロット１９８を通過することが出来る。そのように整列されていない状態で、ダーツ部材はスロット１９８よりも大きな厚さを持ち、適切に整列されるまで、スロット１９８を通過することが防止される。
【００３１】
図４、４Ａ及び４Ｂには、本発明の技術による容器装置の第三実施例を示しており、全体を参照符号２００で示されている。
図４は、本発明において使用されるトップ２２０及び内部機構の断面を示している。サポートプレート２３５は、側面視平坦な輪郭を有している。しかしながら、本発明の支持プレートは、一般に、意図する目的に適当な多数の形状を有している。即ち、支持板は、一層又は多層で、中実又は多孔質で、円形であることは必須ではなく、意図する目的のために適当ないかなる外形とすることも出来、限定的ではないが、プラスチック及び金属を含んでいる。図４に示す実施例による支持板２３５は、ワンピースのコネクタロッド２５０に結合されており、ダーツ部材２５５に愁嘆し、ダーツ部材は中心孔２４２、ペリフェラルコイル２４４及び外側リム２４６を有する雌型受容ソケット装置２４０内にスナップ係合する。このソケット装置２４０は、トップ２２０の下側に取り付けられる。
【００３２】
図４Ａは、より良く図示し、説明するために裏返されたトップ２２０の底面を示している。トップ２２０の下面には、スナップ結合用開口２４２を備えたコイル状の雌型ソケット装置２４０が取り付けられている。図４に示すように、ダーツ部材２５５は、スナップ係合用開口２４２に隣接したソケット装置２４０内に係合可能である。図４に示すように、プルリング２２４が容器２００の開放に使用される場合、トップ２２０は、図４Ｂに示すように、所定の角度で取り除かれる。絶対的な要求ではないが、容器２２０から完全にトップを分離出来るように、持ち上げ力が内容物に作用することが好ましい。再度図４Ｂに関して説明すれば、トップ２２０が上方に持ち上げられ、容器（図示せず）より離脱されるとき、コネクタロッド２５０は、スナップ係合装置２４０内に機械的にインターロック接合して残留し、スナップ係合装置のペリフェラルコイルが伸張し、弛緩される。コイル２４４の最も外側のセグメントは上述の外側リム２４６を規定し、トップ２２０の下側に緊密に取り付けられ、トップと持ち上げ機構の連続性を維持する。
【００３３】
スナップ係合装置２４０の外側リム２４６をトップ２２０の下面に接合する機構は、限定的ではないが、ツーピースの機械的インターロック、膠や接着剤の使用またはプラスチック材料の使用を含む意図した目的のために有効ないかなる手段とすることが出来、外側リム２４６のトップ２２０の下面に溶着又は融着を可能とする。この最後の技術は、容器を加熱し、内容物が一般的な要領で缶詰にされる場合に特に魅力的である。他の構成によれば、トップ２２０は、外側リム２４６の内側のコイル２４４が弛緩されるが、外側リム２４６がトップ２２０の下面への固定を維持されるようにスナップ係合装置２４０がそれ自体スナップ係合するリム又は突条を設けて形成される。本発明のこの実施例は、略円筒状のコイルを使用するものとして示されているが、本発明はこれに限定されるものではなく、トップに取り付けられた機構の弛緩部分は意図する目的に適している限り多数の形状のいずれをもとり得るものである。
【００３４】
図５、５Ａ及び５Ｂには、本発明の第三実施例が示されており、図４の実施例と同様であるが、トップ２２０が雄型スナップ係合装置２６０と雌型スナップ係合コネクタロッド２７０に契合するリッドダーツ部２２５を有するスナップ係合形状を示している。この機械的なインターロック接合が構成部材を一緒に固定するのに十分であり、熱圧着やいかなる接着剤を不要とする。図５Ａは、雄型スナップ係合装置２６０及びコネクタロッド２７０を含む持ち上げ機構の上端の底面図である。図５Ｂに示すように、トップ２２０が持ち上げられ、容器（図示せず）から分離されると、コネクタロッド２７０に取り付けられた中央ダーツ部２６２は、コイル２６４の弛緩により自由に分離でき、コネクタロッドは、リッドダーツ部２２５によって取り付け状態に保持される。図４、５の実施例の他の変更が可能であり、それらも本発明の一部と考えられる。
【００３５】
図６及び図６Ａは。本発明の種々の実施例の変形例を示しており、全体を参照符号３００で示している。本発明においてはダーツ型ヘッドを備えたコネクタロッド３５０と形成された雌型受容ソケット３４０を有するトップ３２０のための雄型／雌型スナップ係合接合を用いる。ダーツヘッドを持つロッド３５０は、貫通するエアチャンネル３５６と可撓性セグメント３５８を有しており、図６Ａに示されており、可撓性セグメントはスロットによって分離され、ダーツ型ヘッドの圧縮を許容し、機械的インターロック接合を達成するために、トップ３２０の下側の受容ソケット３４０のフランジ３４２に挿通して接合される。本発明のこの実施例において、トップ３２０は、フランジ３４２に連続したドーム部３４５を有し、一旦トップが容器３００から分離されると、ユーザーは、プルリング３２の引き上げを継続することが出来、それが望ましい場合には、同時にトップのドーム部３４５を押し下げてトップ３２０からコネクタロッド３５０の抜き出しを容易とする。トップを持ち上げ機構から分離するための「プッシュボタン」手段の他の変更が可能であり、本発明の一部であると考えられる。
【００３６】
図７には、本発明の第四実施例による持ち上げ装置は、全体を参照符号４００で示されており、コネクタロッド４５０は外側に広がりトップ４２０の内側面に取り付けられる複数の延長ポスト４５５に終端する。コネクタロッド４５０及び／または延長ポスト４５５は、ひだを寄せられ、容器内の内容物の持ち上げに先立つ蓋の分離を容易とするために大きな可撓性又は伸張性が付与される。しかしながら、本発明は。延長ポストに限定されるものではない。トップ４２０によって強制的に分離される延長ポスト４５５は、トップ４２０の下面に押しつけられ、トップの下面に、例えば滅菌のためにカンを加熱する過程で熱圧着によって結合される。
また、トップ４２０は、折り畳まれた金属縁又はフランジ４２５を周囲に有しており、トップ４２０の下側の外周から内側に延び、連続しまたは周期的に分断される。延長ポスト４５５は、金属縁４２５の下側に延び、フランジとトップ自体の下面間に位置する。従って、トップ４２０が容器４００に封止されると、容器壁４１０の上側リムは、フランジ１１０に押しつけられ、フランジとトップ間に延長ポスト４５５を捕捉して、延長ポスト４５５を取り付けるとともに、コネクタロッド４５０をトップ４２０に取り付ける。
【００３７】
図８及び８Ａは、本発明の第五実施例による容器装置の側面の斜視図であり、全体を参照符号５００で示し、容器の側壁５１０の輪郭を破線で示している。図８の容器は。充填の前に、所定位置に支持板５３５を有しており、支持板は意図する目的に適した円形、非円形、中実、多孔質を含むいかなる形状とすることも出来る。
支持板５３５は、コネクタストラップ５５０に固定され、コネクタストラップは好ましくは支持板５３５と連続し容器壁５１０の上側端縁に沿い、これを跨いで通過し、終端に取り付けタブ５６０を有している。支持板５３５、コネクタストラップ５５０及び取り付けタブ５６０は、容器面に接着によって又はそれに倣って、容器充填工程で完全にじゃまにならず、容器の充填が妨げられずに行われる。一旦、容器がそのように充填されると、図８Ａに示すように、取り付けタブ５６０は、容器５００内の内容物の頂部より突出するように折り返される。トップ（図示せず）は、容器が通常の殺菌のために加熱されるときに、次いで通常の要領で容器５００に取り付けられ、取り付けタブ５６０は、当業者において明らかなように「熱圧着」または接着によりトップの内面に取り付けられる。トップを持ち上げることによって、コネクタストラップ５５０が、持ち上げを開始する以前に、内容物を通して容器の中央に向かって引かれる。従って、トップから容器の底部へのエアチャンネルが形成され、負圧の発生の可能性が無くなる。
【００３８】
図９、９Ａ及び９Ｂには、本発明の容器装置の第六実施例が示されており、全体が参照符号６００で示されている。図９は、容器壁６１０を破線で示し、本発明の機構の部分を示す側面の斜視図である。本実施例による容器６００は、長手方向壁の凹部６１２を特徴とする。支持板６３５は、図９Ａに示すように、本実施例において支持板６３５とトップ６２０間のコネクタとして機能するねじ軸６５０に係合する雌ねじ部６６０を有している。図９Ａに示す実施例のトップは、スロットによって分割された可撓性のダーツ部６４２等のねじ軸６５０の上側部にスナップ係合するために雄型ダーツ部６４０を有しており、図９Ｂ内の雄型ダーツ部６４０も底面図に示されているように、ねじ軸６５０の上端内の対応する数の開口６４５に係合する。これは、トップ６２０とコネクタ軸６５０間のスナップ係合を可能として、安定した回転を可能として、トップ６２０はねじ軸の回転に使用される。
【００３９】
トップと軸間の機械的なインターロック接合がスナップ結合として示され、その詳細のいずれの側が雄型であり、いずれの側が雌型であるのかは、単なる例であり、限定的なものではなく、この教示は全ての適当な実施例において適用可能である。トップ６２０と軸６５０の間の機械的インターロック接合を達成し、回転の安定性を許容する他の手段が可能であり、従って、本発明の一部と考えられる。使用において、容器の充填に先立って、容器６００は、図９に示すように、容器内の所定の位置において支持板６３５及びねじ軸部材６５０を接合する。容器６００が充填された後、トップ６２０は容器に向かって押し下げられ、この時点で、雄型スナップ係合ダーツ部材６４０は、軸６５０の上端部内のねじ軸の開口６４５内に駆動され、可撓性ダーツ部材６４２は、雄型ダーツ６４０がコネクタ６５０に侵入し、可撓性ダーツ部材６４２は、開口６４５により許容されると、拡張され、スロット６４５を介して突出して二つの部材を係合させる。トップ６２０は外周に容器６００に通常の要領で封止される。
【００４０】
開放するために、プルリング６２４はトップ６２０の中央部のリムからの分離を開始するように引き上げられ、次いで、さらに、トップを容器から分離するために使用される内容物を持ち上げる前にトップを操作する前に望ましい場合には、延長されたダーツ部６４２がねじ軸６５０内の受容スロット６４５よりも短い長さとすることが出来、軸部６５０内のダーツ部６４０のいくらかの上下動を許容する。
より大きな移動も、ねじ軸６５０を可撓性材料によって形成することを許容すれば、達成することが出来る。トップ６２０が容器６００から分離されると、ユーザーは、トップ自体から所定の角度で引き上げられたプルリング６２４を用いて、ねじ軸６５０を回転させて、プレート６３５の切り欠き部に対応する長手方向凹部６１２によって支持板は回転を規制されているので、支持板６３５を容器内で上方に上昇させる。本実施例の好適な変形例によれば、数回転で支持板６３５が容器の全長又は高さ上昇できるように、ねじを四点又は八点リード等の多点リードを有している。プレート６３５のトップの回転回数に関する移動は、トップ６２０の各一回転が、例えば、限定的ではないが、支持板６３５を容器６００の長さの約１／４上昇させるというように、制御される。
【００４１】
図１０及び１０Ａは、本発明の容器装置の第五実施例を示し、全体を参照符号７００で示し、図９に関して示し、説明したものと同様である。容器７００は、容器の内壁７１０に沿って形成された螺旋状の螺条を有している。支持板７３５は、コネクタロッド７５０が回転されると、支持板７３５は、上方に巻き込まれて、容器壁の螺旋状の螺条に係合する。図１０Ａは、側面図であり、本実施例の下部の詳細を断面により示し、コネクタロッド７５０を通り、支持板７３５に開口し、上端部（図示せず）は内容物の上側の空気が支持板７３５の下側に流入することを許容し、内容物は上方に移動されたときの負圧の生成を防止するエアチャンネル７５６の存在を示している。本発明の本実施例及び他の実施例におけるこうしたエアチャンネルの存在が望ましいと考えられるが、本発明のこうした特徴を含むデザインに限定されるものではない。
【００４２】
図１１は、本発明の第二実施例による容器の変形例を示し、その全体を参照符号８００で示す。容器８００は、適当にプラスチック材料で構成され、反復して容器８００から離脱できるとともに対応する可撓性フランジにより容器８００の残りの保持部に再封止される可撓性材料で構成されるトップ８８０を有している。ノブ８８６は、空気通路を備えたコネクタポストの端部８４５に接合するフランジ８９２を持つソケット８８２を有している。コネクタポストの端部８４５に関連するソケット８８２の深さと組み合わされるトップ８８０の可撓性は、内容物の持ち上げに先立って容器の側壁の保持部からのトップの分離を可能とする。他の実施例として、コネクタポストは、湾曲可能な端部を有する一般にドリンク用ストローに見られるひだと同様に収縮されて全長を減少させることが出来るようにひだを形成されている。収縮可能なコネクタポストがトップの下側に取り付けられると、トップの少なくとも一部が、容器内の内容物を持ち上げることなく収縮状態からコネクタポストを伸張してトップを容器から分離することが出来る。
【００４３】
図１２は、本発明の第二実施例による容器１００の変形例を示し。容器が、再使用可能なねじ込みトップ１９０を有するガラス瓶である場合を示している。本変形例によれば、トップ１９０は、容器の外面の上端部の外向きのねじ付きの面１０１に係合する内側にねじを設けたフランジ１９１を有している。このねじ込みトップのデザインは、多くの円筒状容器の実施例に適用可能であり、単に例示のための図１２に示す特定の実施例ばかりではなく全てのこうした実施例を包含するものである。
【００４４】
図１３及び１４は、ここに示した種々の実施例による容器において有用な本発明の変形邸を示しており、その全体を参照符号９００で示している。支持板／コネクタ９３５は、支持壁より延び及び／またはコネクタから外向きに延び、容器９００の内部を部分９３７に区画する。本実施例において区画された支持板９３５は容器９００内の物品又は材料を分離された状態に保持し、ピクルスのために有用なように垂直に整列される。複数の区画された支持板９３５を水平に重ねることによって隔室が得られ、それらをコネクタ９５０に取り付ける。明らかに、上記の支持板は、単一の実施例に限定されるものではなく、容器を二以上の分離された隔室に分離するのに適当な実質的にいかなる形状又は構成にもすることが出来る。
【００４５】
図１５Ａ、１５Ｂ及び１５Ｃは、分解状態の本発明の容器の第七実施例の構成部材を示し、その全体を参照符号１０００で示されている。コネクタロッド１０５０は、図１５Ａに示すように端部にフランジ部１０５２と、端部のフランジ部１０５２に近接した支持ストップ１０５４を有している。
【００４６】
外向きのインターロック面１０６０を備えたスリップリング１０６２は、フランジ部１０５２及び支持ストップ１０５４の間のコネクタロッド１０５０に係合して、その間に固定される。スリップリング１０６２のインターロック面１０６０はいかなる数の材料によっても形成され、好ましくは不活性で、非吸収性及び非金属の、例えばプラスチック等の材料で形成される。
図１５Ａに関して説明すれば、トップ１０２０は、ドーム部１０２２を形成するとともにインターロック接合によってコネクタロッド１０５０とともにスリップリング１０６２を収容するようなサイズ及び形状を有するソケット１０２４を内部に形成する円形刻み目１０２４とともに示されている。トップ１０２０のソケットの側壁１０２４Ａに沿って示されているのは、スリップリング１０６２とインターロックするための材料である。図１５Ａに示すように、ソケット１０２４は、好ましくは、コネクタロッド１０５０が上下動可能な自由空隙を有するのに十分な深さを有し、コネクタロッド１０５０の角形成及び回転を可能とする。説明したインターロックは、図１５Ｃに詳細に示すように補完形状の隆起又ポスト若しくはヘッドを備えたポストによって面をインターロックすることによって達成される。
【００４７】
組立中に、トップ１０２０はコネクタロッド１０５０に向かって押し下げられ、フランジ１０５４に支持されたスリップリングはソケット中に押し入れられ、対向するインターロック面が係合する。スリップリング１０６２はソケット内に熱圧着することも出来る。図１５Ｂは、図１５Ａに示すコネクタロッドの上面図を示している。
【００４８】
図１６Ａ及び１６Ｂは、ダーツ部１０５６が、管状フランジ１０５２が、再拡開して溝１０２６内に捕捉された状態となる前に、開口１０２４を通過するために容易に変形される可撓性プラスチックで形成されている場合に使用される、ダーツーソケット接合の変形例を示している。管状の内向きに延びるリングが、溝とともに又は溝無しで用いられる。
【００４９】
図１７Ａ、１７Ｂ及び１７Ｃは、本発明の第八実施例を示し、その全体は参照符号１１００で示されている。トップ１１０２は、コネクタロッド１１１０のダーツ型端部１１０８を収容するフランジ付きの開口１１０６を有する伸縮ソケット１１０４をその下面に取り付けられている。図１７Ａに示すように、缶詰工程において、相互接合用の捕捉フランジを備えた管状部材１１１２，１１１４及び１１１６で形成される伸縮ソケット１１０４は、収縮され、圧縮されている。トップはカン壁の上側端縁に押しつけられ、コネクタロッド１１１０のダーツ端部１１０８はフランジ開口１１０６を通ってソケット部１１１２に接合するように押圧される・カンが開放されると、蓋部がトップの外側リムより分離され、相互接合用のフランジを備えた管状部材１１１２，１１１４及び１１１６はソケットの制御された伸張を可能とし、ダーツとソケットが、内容物を持ち上げる前に蓋１１８がトップのリムから完全に分離出来るようにする。
【００５０】
要すれば、蓋は、前述の手段によってコネクタから分離される。さらに、先の実施例と同様に、支持板は、カンから抜き出すことが出来るか若しくはカン内に留置されるように所望のサイズとすることが出来る。
【００５１】
図１８は、本発明の容器と内容物持ち上げ装置の第九実施例を示し、その全体は参照符号１２００で示される。容器１２００が、カンが倒立状態で充填される別の缶詰工程において有用である。いずれの端部が製造中に叩いて閉塞されているかとは無関係に、支持板１３５と反対側の容器の端部は、トップ１９として規定される。トップ１９０は、延長され、突出した雌型ソケット部材１９２を有し、コネクタロッド１５０は支持板１３５から容器１２００の全長又は高さに延び、終端にダーツ１９６を有し、トップ１９０に取り付けられた雌型受容ソケット部材１９２内にスナップ接合による機械的インターロック接合可能である。容器の底部は、底部と支持板１３５が、容器に底部を装着する機械によって、適当に整列して保持するように、支持板１３５を支持するために取り付けられる。トップ１９０への支持板１３５の取り付け材は、小麦粉と水、スターチ等の薄いにかわまたは緩接着剤であり、流体の缶詰において弱い接着がプラス又はマイナスの熱により熔解する。
取り付けられた支持板１３５とともに底部が装着されると、コネクタ１５０が押圧され、トップ１９０の蓋部に他端が係合する。
【００５２】
トップ１９０が開放されると、支持板が、弱く取り付けられた底部に対して自由に引かれる。または、底部に取り付けられていない、支持板とコネクタは底部に追随されて挿入可能である。
【００５３】
本発明は、好適実施例に関して詳細に説明したが、本発明の他の変更を、本発明の思想及び範囲を逸脱することなしに、案出することが出来る。
【図面の簡単な説明】
【図１】
本発明の第一実施例による容器の上方から見た側面の斜視図である。
【図１Ａ】
本発明の第一実施例の内容物の持ち上げ機構の一部を示す図１の一部を切り欠いて示す図である。
【図１Ｂ】
図１Ａの第一実施例による内容物持ち上げ機構を通る横断側面図である。
【図１Ｃ】
第一実施例の変形例による内容物持ち上げ機構を通る横断側面図である。
【図１Ｄ】
図１Ｂ二示す第一実施例の機構の部分の側面の詳細断面図である。
【図１Ｅ】
本発明の第一実施例による容器のための代換カバの横断側面図である。
【図１Ｆ】
代換カバの図１Ｅの代換カバの上側斜視図である。
【図１Ｇ】
本発明の第一実施例による内容物持ち上げ機構の変形例の詳細を示す横断側面図である。
【図１Ｈ】
本発明の第一実施例による内容物持ち上げ機構の変形例を示す横断側面図である。
【図２】
本発明の第一実施例による内容物持ち上げ機構の変形例を示す横断側面図である。
【図２Ａ】
図２の機構の一部を拡大して示す詳細図である。
【図３】
本発明の第二実施例による内容物持ち上げ機構の変形例を示す横断側面図である。
【図３Ａ】
部材の分離状態を示す、図三の機構の上側部分を詳細に示す横断側面図である。
【図３Ｂ】
図３Ａの示した蓋ソケットの底面図である。
【図３Ｃ】
図３Ａに示した蓋ソケットの他の変形例を示す底面図である。
【図３Ｄ】
図３に示す第二実施例による内容物持ち上げ装置の変形例の詳細を示す横断側面図である。
【図３Ｅ】
図３Ｄの装置の構成部材であるダーツ部の上側斜視図である。
【図３Ｆ】
図３Ｄの装置の構成部材であるダーツ部の上側斜視図である。
【図４】
本発明の第三実施例の横断側面図である。
【図４Ａ】
付加的な詳細を示すために反転して示した図４の容器のトップの上側斜視図である。
【図４Ｂ】
トップの蓋部が容器から分離された状態の図４の装置の部分の底部の斜視図である。
【図５】
機構の一部を示す本発明の第三実施例の変形例の横断側面図である。
【図５Ａ】
図５の装置の一部の上面図である。
【図５Ｂ】
トップの蓋部が容器から分離された場合に使用された、図５の機構の底部の斜視図である。
【図６】
本発明の容器の種々の実施例に有用な本発明のさらに他の変形例を示す横断側面図である。
【図６Ａ】
本発明の容器の種々の実施例に有用な本発明のダーツ部の上側の拡大斜視図である。
【図７】
接続部分を通る軸のトップカバの接続を示す本発明の第四実施例の底部の斜視図である。
【図８】
本発明の第五実施例を切り欠いて示す側部の斜視図である。
【図８Ａ】
内容物材料により充填された後の図８の容器を切り欠いて示す側部の斜視図である。
【図９】
容器の側壁を輪郭で示す本発明の第六実施例の側部の斜視図である。
【図９Ａ】
図９に示す装置の機構のトップカバとコネクタの係合部の側面図である。
【図９Ｂ】
図９Ａに示す実施例のコネクタ係合部の底面図である。
【図１０】
容器の側壁を輪郭で示す本発明の第六実施例の変形例の側部の斜視図である。
【図１０Ａ】
図１０に示す容器及び機構の詳細側面図及び横断面図である。
【図１１】
本発明の第二実施例の変形例を示す横断側面図である。
【図１２】
ねじ込み式のトップとガラス瓶で特徴付けられる第二実施例の容器の変形例の横断側面図である。
【図１３】
本発明の種々の実施例において使用可能な垂直隔壁によって特徴付けられる他の持ち上げ装置の平面図である。
【図１４】
本発明の持ち上げ装置の図１３の１４−１４線に沿って切り欠いた側面図である。
【図１５Ａ】
本発明の第七実施例による詳細側面図である。
【図１５Ｂ】
本発明の第七実施例のコネクタの詳細な上面図である。
【図１５Ｃ】
図１５Ｂのインターロック接合の詳細を示す図である。
【図１６Ａ】
本発明の種々の実施例において有用な蓋−コネクタ接合の変形例を示す詳細な側面図である。
【図１６Ｂ】
本発明の種々の実施例において有用な蓋−コネクタ接合の変形例を示す詳細な側面図である。
【図１７Ａ】
収縮状態の本発明の第八実施例の横断側面図である。
【図１７Ｂ】
伸張状態の図１７Ａの横断側面図である。
【図１７Ｃ】
収縮状態の図１７Ａの底面図である。
【図１８】
本発明の容器の内容物持ち上げ機構の第九実施例の横断側面図である。
【国際公開パンフレット】
2004538214.tif 000003
2004538214.tif 000004
2004538214.tif 000005
2004538214.tif 000006
2004538214.tif 000007
2004538214.tif 000008
2004538214.tif 000009
2004538214.tif 000010
2004538214.tif 000011
2004538214.tif 000012
2004538214.tif 000013
2004538214.tif 000014
2004538214.tif 000015
2004538214.tif 000016
2004538214.tif 000017
2004538214.tif 000018
2004538214.tif 000019
2004538214.tif 000020
2004538214.tif 000021
2004538214.tif 000022
2004538214.tif 000023
2004538214.tif 000024
2004538214.tif 000025
2004538214.tif 000026
2004538214.tif 000027
2004538214.tif 000028
2004538214.tif 000029
2004538214.tif 000030
2004538214.tif 000031
2004538214.tif 000032
2004538214.tif 000033
2004538214.tif 000034
2004538214.tif 000035
2004538214.tif 000036
2004538214.tif 000037
2004538214.tif 000038
2004538214.tif 000039
2004538214.tif 000040
2004538214.tif 000041
2004538214.tif 000042
2004538214.tif 000043
2004538214.tif 000044
2004538214.tif 000045
2004538214.tif 000046
2004538214.tif 000047
2004538214.tif 000048
2004538214.tif 000049
2004538214.tif 000050
2004538214.tif 000051
2004538214.tif 000052
2004538214.tif 000053
2004538214.tif 000054
2004538214.tif 000055
2004538214.tif 000056
2004538214.tif 000057
2004538214.tif 000058
2004538214.tif 000059
2004538214.tif 000060
2004538214.tif 000061
2004538214.tif 000062
2004538214.tif 000063
2004538214.tif 000064
2004538214.tif 000065
【国際調査報告】
2004538214.tif 000066
2004538214.tif 000067